(57)【要約】【課題】多くの機能を有する歩行器の遊具盤の構造を提供する。【解決手段】主盤体１０と台座２０より構成し、該主盤体１０は上蓋１１と下盤１２とを結合して構成する。該下盤１２の片側には突起片１４を設け、底部にはハンドル１６を嵌設し、且つ該ハンドル１６を出し入れさせる二つのガイド溝１５を設け、歩行器上に固定された該台座２０上には凹部２１を設け、該凹部２１上縁には穿孔２２を設け、下縁両側には該凹部２１底部より上方に延伸する溝２３によって周囲から切り離されて弾力を具有する圧制板２４を形成し、該圧制板２４の下縁には更に嵌設孔２５を設け、該主盤体１０のハンドル１６上縁と該突起片１４とが該台座２０の穿孔２２と嵌設孔２５とに嵌設されることで、該主盤体１０を該台座２０の凹部２１内にて固定し、また該圧制板２４を押すことで該主盤体１０を該台座２０より取り外すことができるようにする。【選択図】　　　　図２
0003098762.tif 000002
【実用新案登録請求の範囲】
【請求項１】
主盤体と台座とより構成される歩行器の遊具盤の構造において、
相互にボルトやピンで結合された上蓋と下盤とより構成され、該下板の片側には突起片が設けられており、該下板の底部には二つのガイド溝が設けられており、ハンドルを該下盤にて滑動させて出し入れするべく該二つのガイド溝に該ハンドルを嵌設し、且つ該ハンドルを収納した際に該ハンドルは該下盤よりやや突出している状態となる該主盤体と、
歩行器のテーブルに固定されており、該主盤体の外形に対応した形状の凹部が設けられており、該凹部上縁には穿孔が設けられており、且つ下縁両側には該凹部底部より上方に延伸する溝により区画されていることで弾性を具有する圧制板が形成されており、該圧制板下縁には更に嵌設孔が設けられており、該圧制板を押すと該嵌設孔が後方へと移動される該台座と、
を具有し、
該主盤体の収納状態のハンドルの最上部と該突起片を該台座の穿孔と嵌設孔にそれぞれ嵌合することで、該主盤体が該台座の凹部内に固定され、また、該圧制板を押すことによって単独で使用するべく該主盤体を該台座より取り外し可能としたことを特徴とする歩行器の遊具盤の構造。
【請求項２】
該主盤体には、該主盤体を該台座より外した状態で卓上や壁面に吸着させて設置するべく、数個の吸着版が嵌設されていることを特徴とする請求項１記載の歩行器の遊具盤の構造。
【請求項３】
該主盤体のハンドルには、該主盤体を該台座より取り外した際にベビーベッドや車などの適切な個所に掛設されるべく、フックが二つ設けられていることを特徴とする請求項１記載の歩行器の遊具盤の構造。
【請求項４】
該台座の凹部底部には該主盤体が取り出しやすいように最上部が該凹部表面よりやや突出しなる該弾力部を設けてなることを特徴とする請求項１記載の歩行器の遊具盤の構造。
【考案の詳細な説明】
【０００１】
【考案の属する技術分野】
本考案は、歩行器の遊具盤の構造に係り、特に遊具盤が主盤体と台座との二部より構成されており、該主盤体が該台座より取り外すことができることから、多数の使用目的を具有する歩行器の遊具盤の構造に関わる。
【０００２】
【従来の技術】
一般に幼児用の歩行器においては、歩行器前側にテーブルが設けられていて、そのテーブル上面には一つの窪んだ空間が設けられており、該空間に遊具盤が設けられている。該遊具盤とは、例えば設けられたボタンなどを押したり触ることによって音楽や音が流れ、子供を楽しませるものである。
【０００３】
【考案が解決しようとする課題】
しかし上述のような歩行器の遊具盤は取り外しができず、つまり幼児が歩行器に乗っているときのみに使用が限られてしまう。
そこで遊具盤を更に実用化するべく本考案の歩行器の遊具盤の構造を提供する。
【０００４】
【課題を解決するための手段】
主に上蓋及び下盤より構成される主盤体、並びに台座より構成し、該上蓋と下盤をボルトやピンなどによって固定し、該下盤の片側には突起片を設け、底部には二つのガイド溝を設けてハンドルを嵌設し、且つ該ハンドルを該下盤に向かって移動させる個所を提供して該ハンドルの出し入れの目的を達成し、歩行器上に固定された該台座上には該主盤体の外形に見合った形状を呈した凹部を設け、該凹部上縁には穿孔を設け、下縁両側には該凹部底部より上方に延伸する溝を設けることで弾力を具有する圧制板を形成し、該圧制板の下縁には更に嵌設孔を設け、該主盤体のハンドル上縁と該突起片とが該台座の穿孔と嵌設孔とに嵌設されることで、該主盤体を該台座の凹部内にて固定し、また該圧制板を押すことで該主盤体を該台座より取り外すことができるようにする。
【０００５】
【考案実施の形態】
図１から図３に示すように、本考案における歩行器の遊具盤は主に主盤体１０と台座２０とより構成される。
該主盤体１０中には電子による音声が発せられる部品が設けられ、該主盤体１０は上蓋１１と下盤１２とより構成される。該上蓋１１と下盤１２はボルトやピンなどによって両者を結合・固定されるものとし、該上蓋１１の表面には玩具やボタン１３が嵌設されており、該ボタン１３を押すと上述の電子による音声が発せられる部品により子供を楽しませるような音楽や鈴の音などが提供される。該下盤１２の片側には突起片１４が設けられており、底部には二つのガイド溝１５が設けられており、該二つのガイド溝１５はハンドル１６を嵌設する個所を提供しており、こうすることで該ハンドル１６を該ガイド溝１５によって該下盤１２内で摺動させることができるようになっており、該ハンドル１６を収納したり出したりできるようにしている。使用する際には該ハンドル１６を引き出して手で持つ個所を提供し、逆に収納するときには該ハンドル１６の縁を該下盤１２よりやや突き出した状態で収納状態とする。また該下盤１２には数個の吸盤１７に嵌設して固定し、また該ハンドル１６には更に二つのフック１８を設ける（図４，５参照）。
該台座２０においては（図２，６参照）、歩行器のテーブル上に固定されるものであり、該台座２０上には該主盤体１０の外形に見合った凹部２１が設けられている。該凹部２１上縁には穿孔２２が設けられており、また下縁両側には該凹部２１より上向きに延伸する溝２３が設けられている。該溝２３が設けられていることにより、周囲から切り離された圧制板２４が弾力片として形成されており、該圧制板２４下縁には更に嵌設孔２５が設けられており、該圧制版２４が押されると該嵌設孔２５も後方へと移動する。該凹部２１底部には更に弾力部２６が設けられており、該弾力部２６の最上部は該凹部２１表面よりやや突出している状態を呈している。
【０００６】
上述の構造でもわかるように、該主盤体１０の下盤１２の片側には突起片１４を具有しおり、且つ該ハンドル１６を収納したとき該ハンドルの最上部は該下盤１２よりやや突出していることから、該ハンドル１６の最上部は引っ掛かる場所を提供しており、該ハンドル１６最上部を該台座２０の穿孔２２に嵌合させて該主盤体１０を下向きに押圧し、該突起片１４を該台座２０の圧制版２４の穿孔２５中に押し込む。このようにして該主盤体１０は該台座２０の凹部２１内に嵌合・固定され（図７参照）、幼児が本考案の歩行器を使用するとき、該主盤体１０と該台座２０とによって構成される遊戯盤で遊んだり学習することができるようになっている。
また該台座２０の圧制板２４を押した時には、該嵌設孔２５が後方に移動して該主盤体１０の突起片１４は該嵌設孔２５による定位から開放され、該主盤体１０が該弾力部２６の弾性によって台座からやや浮き上がった状態となり、該突起片１４が該嵌設孔２５の嵌設範囲より抜け出し、使用者が該主盤体１０を該台座２０より外して単独で使用できるようになる（図５，８参照）。該主盤体１０は見た目にも美くしいカラフルな玩具を設置し、該玩具は聞き心地のよい音楽やその他の音などを発生するものとする。
使用者が該ハンドル１６を持って本考案を取り外して、該下盤１２に数個の吸盤１７を設けることにより卓上や壁面に吸着させて遊ぶことができるようになり、また該ハンドル１６に二つのフック１８を設けることでベビーベッドの柵などに取り付けて幼児の睡眠に快適な音楽などを提供したり、或いは該フック１８によって部屋のその他の場所に設置して遊ぶこともできるようになる。
【０００７】
【考案の効果】
本考案によると、歩行器上で遊ぶ目的以外にも、卓上や壁面、或いはその他の個所に設置して遊んだり、または睡眠時の音楽を提供するなど、一台で多数の使用法が提供されて更に実用的になった。
【図面の簡単な説明】
【図１】本考案組み立て後における立体説明図である。
【図２】本考案の分解立体説明図である。
【図３】本考案における主盤体の背面図である。
【図４】本考案に吸盤を付加した状態における説明図である。
【図５】本考案における主盤体の側面図である。
【図６】本考案の台座における俯瞰図である。
【図７】図６におけるＩ−Ｉによる断面図であり、該主盤体の設置を説明する図である。
【図８】本考案取り外しにおける外観説明図である。
【符号の説明】
１０　主盤体
１１　上蓋
１２　下盤
１３　ボタン
１４　突起片
１５　ガイド溝
１６　ハンドル
１７　吸盤
１８　フック
２０　台座
２１　凹部
２２　穿孔
２３　溝
２４　圧制板
２５　嵌設孔
２６　弾力部
【図１】
0003098762.tif 000003
【図２】
0003098762.tif 000004
【図３】
0003098762.tif 000005
【図４】
0003098762.tif 000006
【図５】
0003098762.tif 000007
【図６】
0003098762.tif 000008
【図７】
0003098762.tif 000009
【図８】
0003098762.tif 000010